(57)【要約】      （修正有）【課題】被覆性が高く、脱落し難く、丸編みまたは横編みプロセスを利用する快適な脱落防止靴下を提供する。【解決手段】踵部は第１引き返し編み領域Ｄ１及び第１引き返し編み領域のつま先部に近接する一側に設けられている第１拾い目編み領域Ｉ１を有し、第１引き返し編み領域は第１拾い目編み領域に連結されており、第１拾い目編み領域と第１引き返し編み領域との間には複数の第１拾い目編み及び引き返し編み領域が設けられており、第１拾い目編み及び引き返し編み領域は第１引き返し編み領域の端部に設けられている第２拾い目編み領域Ｉ２及び第２拾い目編み領域の側辺に設けられている第２引き返し編み領域Ｄ２を有し、第２引き返し編み領域、第２拾い目編み領域はいずれも第１引き返し編み領域に連結されており、最後の第１拾い目編み及び引き返し編み領域における第２引き返し編み領域、第２拾い目編み領域は第１拾い目編み領域に連結されている。【選択図】図２−１
2019131938.tif 000002
【特許請求の範囲】
【請求項１】
丸編みまたは横編みプロセスを利用する快適な脱落防止靴下であって、
つま先部、ボディ部および踵部を有し、
前記つま先部および踵部はいずれもボディ部に連結されており、
前記踵部は第１引き返し編み領域および前記第１引き返し編み領域のつま先部に近接する一側に設けられている第１拾い目編み領域を有し、前記第１引き返し編み領域は前記第１拾い目編み領域に連結されており、前記第１拾い目編み領域と前記第１引き返し編み領域との間には複数の第１拾い目編みおよび引き返し編み領域が設けられており、
前記第１拾い目編みおよび引き返し編み領域は、前記第１引き返し編み領域の端部に設けられている第２拾い目編み領域および前記第２拾い目編み領域の側辺に設けられている第２引き返し編み領域を有し、前記第２引き返し編み領域、前記第２拾い目編み領域はいずれも前記第１引き返し編み領域に連結されており、最後の第１拾い目編みおよび引き返し編み領域における前記第２引き返し編み領域、前記第２拾い目編み領域は前記第１拾い目編み領域に連結されている、
ことを特徴とする快適な脱落防止靴下。
【請求項２】
前記踵部は、前記第１引き返し編み領域のつま先部から離れる一側に設けられている第１追加拾い目編み領域をさらに有し、前記第１追加拾い目編み領域は前記第１引き返し編み領域に連結されている、ことを特徴とする請求項１に記載の快適な脱落防止靴下。
【請求項３】
前記踵部は、前記第１拾い目編み領域のつま先部に近接する一側に設けられている追加引き返し編み領域をさらに有し、前記追加引き返し編み領域は前記第１拾い目編み領域に連結されている、ことを特徴とする請求項１または２に記載の快適な脱落防止靴下。
【請求項４】
前記つま先部は、第３引き返し編み領域および前記第３引き返し編み領域の踵部に近接する一側に設けられている第３拾い目編み領域を有し、前記第３拾い目編み領域と前記第３引き返し編み領域との間には複数の第２拾い目編みおよび引き返し編み領域が設けられており、
前記第２拾い目編みおよび引き返し編み領域は、前記第３引き返し編み領域の端部に設けられている第４拾い目編み領域および前記第４拾い目編み領域の側辺に設けられている第４引き返し編み領域を有し、前記第４引き返し編み領域、前記第４拾い目編み領域はいずれも前記第３引き返し編み領域に連結されており、最後の第２拾い目編みおよび引き返し編み領域における前記第４引き返し編み領域、前記第４拾い目編み領域は前記第３拾い目編み領域に連結されている、ことを特徴とする請求項１に記載の快適な脱落防止靴下。
【請求項５】
前記つま先部は、前記第３引き返し編み領域の踵部に近接する一側に設けられている第２追加拾い目編み領域をさらに有し、前記第２追加拾い目編み領域は前記第３引き返し編み領域に連結されている、ことを特徴とする請求項４に記載の快適な脱落防止靴下。
【請求項６】
丸編みまたは横編みプロセスを採用する請求項１〜５のいずれか一項に記載の靴下の編成方法であって、
踵部を編成する編み段階を含み、
該段階は、
第１引き返し編み領域を編成するステップ１１と、
第１拾い目編みおよび引き返し編み領域を編成するステップ１２と、
ステップ１２における最後の第２拾い目編み領域、第２引き返し編み領域に連結されており、かつ前記第１引き返し編み領域に連結されている、第１拾い目編み領域を編成するステップ１３と
を含み、
前記ステップ１２において、
（ａ）第１引き返し編み領域の端部において、第２拾い目編み領域を編成し、かつ前記第１引き返し編み領域と連結させ、その後、前記第２拾い目編み領域の側辺において、第２引き返し編み領域を編成し、前記第２引き返し編み領域は前記第１引き返し編み領域に連結されており、
（ｂ）複数の第２拾い目編みおよび引き返し編み領域を順次編成し、各第１拾い目編みおよび引き返し編み領域はいずれも第１引き返し編み領域に連結されている、
ことを特徴とする靴下の編成方法。
【請求項７】
第１引き返し編み領域を編成する前に、前記第１引き返し編み領域のつま先部から離れる一側において第１追加拾い目編み領域を編成することをさらに含み、前記第１追加拾い目編み領域は前記第１引き返し編み領域に連結されている、ことを特徴とする請求項６に記載の靴下の編成方法。
【請求項８】
第１拾い目編み領域を編成した後、前記第１拾い目編み領域のつま先部に近接する一側において追加引き返し編み領域を編成することをさらに含み、前記追加引き返し編み領域は前記第１拾い目編み領域に連結されている、ことを特徴とする請求項６または７に記載の靴下の編成方法。
【請求項９】
つま先部を編成する編み段階をさらに含み、
該段階は、
第３引き返し編み領域を編成するステップ１４と、
第２拾い目編みおよび引き返し編み領域を編成するステップ１５と、
ステップ１５における最後の第４拾い目編み領域、第４引き返し編み領域に連結されており、かつ前記第３引き返し編み領域に連結されている、第３拾い目編み領域を編成するステップ１６と、
を含み、
前記ステップ１５において、
（ｃ）第３引き返し編み領域の端部において、第４拾い目編み領域を編成し、かつ前記第３引き返し編み領域と連結させ、その後、前記第４拾い目編み領域の側辺において、第４引き返し編み領域を編成し、前記第４引き返し編み領域は前記第３引き返し編み領域に連結されており、
（ｄ）複数の第２拾い目編みおよび引き返し編み領域を順次編成し、各第２拾い目編みおよび引き返し編み領域はいずれも第３引き返し編み領域に連結されている、
ことを特徴とする請求項６に記載の靴下の編成方法。
【請求項１０】
第３引き返し編み領域を編成する前に、前記第３引き返し編み領域の踵部に近接する一側において第２追加拾い目編み領域を編成することをさらに含み、前記第２追加拾い目編み領域は前記第３引き返し編み領域に連結されている、ことを特徴とする請求項９に記載の靴下の編成方法。
【発明の詳細な説明】
【技術分野】
【０００１】
本発明は糸編み分野に関し、特に快適な脱落防止靴下およびその編成方法に関する。
【背景技術】
【０００２】
足の着用に適するために、従来の靴下は踵部を編む際、「一字踵」または「Ｙ踵」のプロセスを採用することが多く、即ち「一」字または「Ｙ」字の形状に沿って拾い目編みおよび引き返し編みの編み方によって対応する編み構造を形成する。
【０００３】
しかしながら、従来の技術およびプロセスには、依然として以下の問題が存在する。（１）従来の靴下編み機の設備条件のもと、踵部の拾い目編みおよび引き返し編みの編み目の数の正常な範囲はシリンダーによる編みの編み目の数の約７分の１であり、編成する際に、編み目の数が少な過ぎると、靴下の脱落が発生しやすく、一方で、編み目の数が多過ぎると、踵部が狭過ぎるため、着用の際、足型にフィットしない。（２）従来の「一字踵」が基本的な着用快適性のニーズを満たす場合、踵部の編み長さは設備条件に制限され、踵部の部分は望ましい形状になることが難しく、一方で、「Ｙ踵」の分岐部分の角度はほぼ４５°位に限定され、踵部の寸法を拡大する場合、角度が制限されているため、好ましい脱落防止効果を達することができない。また、「一字踵」または「Ｙ踵」の靴下に関わらず、その踵部の表面はしわが発生しやすくかつ明らかな突起があり、着用に影響を与える。靴下底部の寸法と靴下甲部の寸法の差が大きくないため、着用後、靴下甲部にもしわが発生しやすい。
【発明の概要】
【発明が解決しようとする課題】
【０００４】
本発明は、上記問題に鑑みてなされたものであり、従来技術における靴下が脱落しやすく、靴下の一部の表面にしわが発生しやすいという問題を解決する快適な脱落防止靴下およびその編成方法を提供することを目的とする。
【課題を解決するための手段】
【０００５】
上記の目的を達成するための本発明に係る快適な脱落防止靴下は、丸編みまたは横編みプロセスを利用する靴下であって、つま先部、ボディ部および踵部を有し、前記つま先部および踵部はいずれもボディ部に連結されており、前記踵部は第１引き返し編み領域および前記第１引き返し編み領域のつま先部に近接する一側に設けられている第１拾い目編み領域を有し、前記第１引き返し編み領域は前記第１拾い目編み領域に連結されており、前記第１拾い目編み領域と前記第１引き返し編み領域との間には複数の第１拾い目編みおよび引き返し編み領域が設けられており、前記第１拾い目編みおよび引き返し編み領域は、前記第１引き返し編み領域の端部に設けられている第２拾い目編み領域および前記第２拾い目編み領域の側辺に設けられている第２引き返し編み領域を有し、前記第２引き返し編み領域、前記第２拾い目編み領域はいずれも前記第１引き返し編み領域に連結されており、最後の第１拾い目編みおよび引き返し編み領域における前記第２引き返し編み領域、前記第２拾い目編み領域は前記第１拾い目編み領域に連結されている。
【０００６】
踵部の部分が「弧形踵」の構造に形成されるように、第１引き返し編み領域と第１拾い目編み領域との間には複数の第１拾い目編みおよび引き返し編み領域が編成され、靴下底部の引き出し回数を増やし、靴下の脱落、滑りを防止し、靴下の着用被覆性および快適性を向上させる。
【０００７】
本発明のさらなる改良として、前記踵部は、前記第１引き返し編み領域のつま先部から離れる一側に設けられている第１追加拾い目編み領域をさらに有し、前記第１追加拾い目編み領域は前記第１引き返し編み領域に連結されている。
【０００８】
本発明のさらなる改良として、前記踵部は、前記第１拾い目編み領域のつま先部に近接する一側に設けられている追加引き返し編み領域をさらに有し、前記追加引き返し編み領域は前記第１拾い目編み領域に連結されている。
【０００９】
本発明のさらなる改良として、前記つま先部は、第３引き返し編み領域および前記第３引き返し編み領域の踵部に近接する一側に設けられている第３拾い目編み領域を有し、前記第３拾い目編み領域と前記第３引き返し編み領域との間には複数の第２拾い目編みおよび引き返し編み領域が設けられており、前記第２拾い目編みおよび引き返し編み領域は、前記第３引き返し編み領域の端部に設けられている第４拾い目編み領域および前記第４拾い目編み領域の側辺に設けられている第４引き返し編み領域を有し、前記第４引き返し編み領域、前記第４拾い目編み領域はいずれも前記第３引き返し編み領域に連結されており、最後の第２拾い目編みおよび引き返し編み領域における前記第４引き返し編み領域、前記第４拾い目編み領域は前記第３拾い目編み領域に連結されている。
【００１０】
本発明のさらなる改良として、前記つま先部は、前記第３引き返し編み領域の踵部に近接する一側に設けられている第２追加拾い目編み領域をさらに有し、前記第２追加拾い目編み領域は前記第３引き返し編み領域に連結されている。
【００１１】
本発明は、さらに、丸編みまたは横編みプロセスを利用し、踵部を編成する編み段階を含む、靴下の編成方法を提供する。該段階は、
第１引き返し編み領域を編成するステップ１１と、
第１拾い目編みおよび引き返し編み領域を編成するステップ１２と、
ステップ１２における最後の第２拾い目編み領域、第２引き返し編み領域に連結されており、かつ前記第１引き返し編み領域に連結されている、第１拾い目編み領域を編成するステップ１３と、
を含み、
前記ステップ１２において、
（ａ）第１引き返し編み領域の端部において、第２拾い目編み領域を編成し、かつ前記第１引き返し編み領域に連結させ、その後、前記第２拾い目編み領域の側辺において、第２引き返し編み領域を編成し、前記第２引き返し編み領域は前記第１引き返し編み領域に連結されており、
（ｂ）複数の第２拾い目編みおよび引き返し編み領域を順次編成し、各第１拾い目編みおよび引き返し編み領域はいずれも第１引き返し編み領域に連結されている。
【００１２】
本発明のさらなる改良として、第１引き返し編み領域を編成する前に、前記第１引き返し編み領域のつま先部から離れる一側において第１追加拾い目編み領域を編成することをさらに含み、前記第１追加拾い目編み領域は前記第１引き返し編み領域に連結されている。
【００１３】
本発明のさらなる改良として、第１拾い目編み領域を編成した後、前記第１拾い目編み領域のつま先部に近接する一側において追加引き返し編み領域を編成することをさらに含み、前記追加引き返し編み領域は前記第１拾い目編み領域に連結されている。
【００１４】
本発明のさらなる改良として、該編成方法は、つま先部を編成する編み段階をさらに含み、該段階は、
第３引き返し編み領域を編成するステップ１４と、
第２拾い目編みおよび引き返し編み領域を編成するステップ１５と、
ステップ１５における最後の第４拾い目編み領域、第４引き返し編み領域に連結されており、かつ前記第３引き返し編み領域に連結されている、第３拾い目編み領域を編成するステップ１６と、
含み、
前記ステップ１５において、
（ｃ）第３引き返し編み領域の端部において、第４拾い目編み領域を編成し、かつ前記第３引き返し編み領域に連結させ、その後、前記第４拾い目編み領域の側辺において、第４引き返し編み領域を編成し、前記第４引き返し編み領域は前記第３引き返し編み領域に連結されており、
（ｄ）複数の第２拾い目編みおよび引き返し編み領域を順次編成し、各第２拾い目編みおよび引き返し編み領域はいずれも第３引き返し編み領域に連結されている。
【００１５】
本発明のさらなる改良として、第３引き返し編み領域を編成する前に、前記第３引き返し編み領域の踵部に近接する一側において第２追加拾い目編み領域を編成することをさらに含み、前記第２追加拾い目編み領域は前記第３引き返し編み領域に連結されている。
【図面の簡単な説明】
【００１６】
【図１】本発明の靴下を示す図である。
【図２−１】本発明の踵部の好ましい実施例１を示す図である。
【図２−２】本発明の踵部の好ましい実施例１を示す展開図である。
【図３−１】本発明の踵部の好ましい実施例２を示す図である。
【図３−２】本発明の踵部の好ましい実施例２を示す展開図である。
【図４−１】本発明の踵部の好ましい実施例３を示す図である。
【図４−２】本発明の踵部の好ましい実施例３を示す展開図である。
【図５−１】本発明の踵部の好ましい実施例４を示す図である。
【図５−２】本発明の踵部の好ましい実施例４を示す展開図である。
【図６−１】本発明のつま先部の好ましい実施例１を示す図である。
【図６−２】本発明のつま先部の好ましい実施例１を示す展開図である。
【図７−１】本発明のつま先部の好ましい実施例２を示す図である。
【図７−２】本発明のつま先部の好ましい実施例２を示す展開図である。
【発明を実施するための形態】
【００１７】
以下、図面を参照しながら本発明について詳細に説明する。
図１に示すように、本発明の実施例は丸編み機または横編み機により編成される快適な脱落防止靴下を提供する。該靴下の構造は、つま先部１１、ボディ部１２および踵部１３を有し、つま先部１１および踵部１３はいずれもボディ部１２に連結されている。
【００１８】
展開図２−２に示すように、踵部１３は第１引き返し編み領域Ｄ１および第１拾い目編み領域Ｉ１を有し、第１拾い目編み領域Ｉ１は第１引き返し編み領域Ｄ１のつま先部１１に向かう一側に傾き、即ち、第１引き返し編み領域Ｄ１の前端に位置し、第１引き返し編み領域Ｄ１は、靴下底部に近接する方向に従って、ループの数が徐々に減少する台形ｅｅｆｆの形状を呈し、第１拾い目編み領域Ｉ１は、靴下底部から離れる方向に従って、ループの数が徐々に増加する台形ｓｓｅ’ｅ’の形状を呈する。第１引き返し編み領域Ｄ１の一部は第１拾い目編み領域Ｉ１に連結されており、第１引き返し編み領域Ｄ１と第１拾い目編み領域Ｉ１との間には複数の第１拾い目編みおよび引き返し編み領域Ａ１が編成されており、数は２以上である。
【００１９】
ここで、各第１拾い目編みおよび引き返し編み領域Ａ１はいずれも第２拾い目編み領域Ｉ２および第２引き返し編み領域Ｄ２を有し、第２引き返し編み領域Ｄ２は、靴下底部に近接する方向に従って、ループの数が徐々に減少する台形ｈｈｊｊの形状を呈し、第２拾い目編み領域Ｉ２は、つま先部に近接する方向に従って、ループの数が徐々に増加する台形ｆｆｈｈの形状を呈する。第２拾い目編み領域Ｉ２の端部は第１引き返し編み領域Ｄ１の端部に連結されており、第２引き返し編み領域Ｄ２は第２拾い目編み領域Ｉ２の側辺に編成され、第１引き返し編み領域Ｄ１に連結されており、その後、２番目の第１拾い目編みおよび引き返し編み領域Ａ１を編成し続け、靴下底部に近接する方向に従って、ループの数が徐々に減少する台形ｊｊｋｋの形状を呈し、同様に、最後の第１拾い目編みおよび引き返し編み領域Ａ１の第２引き返し編み領域Ｄ２は台形ｒｒｓｓの形状を形成し、第２拾い目編み領域Ｉ２はｗｗｒｒの形状を形成し、最後の第１拾い目編みおよび引き返し編み領域Ａ１の第２引き返し編み領域Ｄ２は第１拾い目編み領域Ｉ１に連結されており、以上の踵部に形成されたまち縫いはメインまち縫いｅｆおよびサブまち縫いｈｊ…ｒｓ等を含み、ここで省略されたサブまち縫いは複数の第１拾い目編みおよび引き返し編み領域Ａ１により形成されたものであり、サブまち縫いｈｊ…ｒｓの長さは等しくてもまたは異なってもよく、サブまち縫いｈｊ…ｒｓのメインまち縫いにおける間隔距離も限定されない。
【００２０】
図３−１、３−２に示すように、好ましくは、踵部１３は、第１追加拾い目編み領域Ｂ１をさらに有し、該第１追加拾い目編み領域Ｂ１は、靴下底部に近接する方向に、ループの数が徐々に増加する台形ｅｅｖｖの形状を呈し、第１引き返し編み領域Ｄ１に連結され、まち縫いｅｖを形成する。
【００２１】
図４−１、４−２に示すように、好ましくは、踵部１３は、追加引き返し編み領域Ｃ１をさらに有し、展開図に示すように、該追加引き返し編み領域Ｃ１は、靴下底部に近接する方向に、ループの数が徐々に減少する台形ｅ’ｅ’ｕｕの形状を呈し、第１拾い目編み領域Ｉ１に連結され、まち縫いｅ’ｕ（ｅ’点とｅ点は位置合わせされている）を形成する。
【００２２】
図５−１、５−２に示すように、踵部１３は、第１追加拾い目編み領域Ｂ１をさらに有し、該第１追加拾い目編み領域Ｂ１は、靴下底部に近接する方向に、ループの数が徐々に増加する台形ｅｅｖｖの形状を呈し、第１引き返し編み領域Ｄ１に連結され、まち縫いｅｖを形成する。また、踵部１３は、追加引き返し編み領域Ｃ１をさらに有し、該追加引き返し編み領域Ｃ１は、靴下底部に近接する方向に、ループの数が徐々に減少する台形ｅ’ｅ’ｕｕの形状を呈し、第１拾い目編み領域Ｉ１に連結され、まち縫いｅ’ｕ（ｅ’点とｅ点は位置合わせされている）を形成する。
【００２３】
図６−１、６−２に示すように、該靴下のつま先部１１は第３引き返し編み領域Ｄ３および第３拾い目編み領域Ｉ３を有し、第３拾い目編み領域Ｉ３は第３引き返し編み領域Ｄ３の踵部１３に向かう一側に傾き、即ち、第３引き返し編み領域Ｄ３の前端に位置し、第３引き返し編み領域Ｄ３は、踵部１３から離れる方向に従って、ループの数が徐々に減少する台形ＥＥＦＦの形状を呈し、第３拾い目編み領域Ｉ３は、踵部に近接する方向に従って、ループの数が徐々に増加する台形ＳＳＥ’Ｅ’の形状を呈する。第３引き返し編み領域Ｄ３の一部は第３拾い目編み領域Ｉ３に連結されており、第３引き返し編み領域Ｄ３と第３拾い目編み領域Ｉ３との間には複数の第２拾い目編みおよび引き返し編み領域Ａ２が編成され、その数は２以上である。
【００２４】
ここで、各第２拾い目編みおよび引き返し編み領域Ａ２はいずれも第４拾い目編み領域Ｉ４および第４引き返し編み領域Ｄ４を有し、第４引き返し編み領域Ｄ４は、靴下底部に近接する方向に従って、ループの数が徐々に減少する台形ＨＨＪＪの形状を呈し、第４拾い目編み領域Ｉ４は、靴下底部に近接する方向に従って、ループの数が徐々に増加する台形ＦＦＨＨの形状を呈する。第４拾い目編み領域Ｉ４の端部は第３引き返し編み領域Ｄ３の端部に連結されており、第４引き返し編み領域Ｄ４は第４拾い目編み領域Ｉ４の側辺に編成され、第３引き返し編み領域Ｄ３に連結されており、その後、２番目の第２拾い目編みおよび引き返し編み領域Ａ２を編成し続け、靴下底部に近接する方向に従って、ループの数が徐々に増加する台形ＪＪＫＫの形状を呈し、同様に、最後の第２拾い目編みおよび引き返し編み領域Ａ２の第４引き返し編み領域Ｄ４は台形ＲＲＳＳの形状を形成し、第４拾い目編み領域Ｉ４はＷＷＲＲの形状を形成し、最後の第２拾い目編みおよび引き返し編み領域Ａ２の第４引き返し編み領域Ｄ４は第３拾い目編み領域Ｉ３に連結されており、以上のつま先部に形成されたまち縫いはメインまち縫いＥＦおよびサブまち縫いＨＪ…ＲＳ等を含み、ここで省略されたまち縫いは複数の第２拾い目編みおよび引き返し編み領域Ａ２に形成されたものであり、サブまち縫いＨＪ…ＲＳの長さは等しくてもまたは異なってもよく、サブまち縫いＨＪ…ＲＳのメインまち縫いにおける間隔も限定されない。
【００２５】
図７−１、７−２に示すように、好ましくは、つま先部１１は、第２追加拾い目編み領域Ｂ２をさらに有し、該第２追加拾い目編み領域Ｂ２は、靴下底部に近接する方向に、ループの数が徐々に増加する台形ＥＥＶＶの形状を呈し、第３引き返し編み領域Ｄ３に連結され、まち縫いＥＶ（Ｅ’点とＥ点は位置合わせされている）を形成する。
【００２６】
本発明は、さらに丸編みまたは横編みプロセスを利用し、踵部を編成する編み段階を含む、靴下の編成方法を提供し、以下のステップを有する。
【００２７】
まず、ｅ点を開始点として、つま先部１１から離れる方向に向かって第１引き返し編み領域Ｄ１を編成し始め、メインまち縫いｅｆの線分を形成し、その後、ｆを開始点として、第１拾い目編みおよび引き返し編み領域Ａ１を編成し始め、第１拾い目編みおよび引き返し編み領域Ａ１の編み段階はｆから始まり、メインまち縫いｅｆの反対方向に沿ってメインまち縫いｅｆの線分の側辺において第２拾い目編み領域Ｉ２を編成し、ｈ点まで編成した後、ｈ点を開始点として、靴下底部に近接する方向に向かって第２引き返し編み領域Ｄ２をｊ点まで編成し、第１のサブまち縫いｈｊを形成し、その後、ｊ点を開始点として、第２拾い目編み領域Ｉ２を点ｋまで編成し続け、同様に、最後のサブまち縫いｒｓを形成するまで続け、その後、ｓを開始点として、第１拾い目編み領域Ｉ１をｅ’点まで編成し、ｅ’点とｅ点とは位置合わせられており、編成により形成された第１拾い目編み領域Ｉ１は第１引き返し編み領域Ｄ１に連結されている。
【００２８】
好ましくは、踵部を編成する編み段階は、第１追加拾い目編み領域Ｂ１を編成することをさらに含み、第１引き返し編み領域Ｄ１を編成する前に、第１引き返し編み領域Ｄ１のつま先部１１から離れる一側において、ｖ点を開始点として第１追加拾い目編み領域Ｂ１を終点ｅ点まで編成し、まち縫いｖｅの線分を形成する。
【００２９】
好ましくは、踵部を編成する編み段階は、追加引き返し編み領域Ｃ１を編成することをさらに含み、第１拾い目編み領域Ｉ１を編成した後、第１拾い目編み領域Ｉ１のつま先部１１に近接する一側において、ｅ’点（ｅ’点とｅ点とは位置合わせされている）を開始点として追加引き返し編み領域Ｃ１を終点ｕ点まで編成し、まち縫いｅ’ｕの線分を形成する。
【００３０】
好ましくは、踵部を編成する編み段階は、第１追加拾い目編み領域Ｂ１を編成することをさらに含み、第１引き返し編み領域Ｄ１を編成する前に、第１引き返し編み領域Ｄ１のつま先部１１から離れる一側において、ｖ点を開始点として第１追加拾い目編み領域Ｂ１を終点ｅ点まで編成し、まち縫いｖｅの線分を形成する。そして、第１拾い目編み領域Ｉ１を編成した後、第１拾い目編み領域Ｉ１のつま先部１１に近接する一側において、ｅ’点（ｅ’点とｅ点とは位置合わせされている）を開始点として追加引き返し編み領域Ｃ１を終点ｕ点まで編成し、まち縫いｅ’ｕの線分を形成する。
【００３１】
該編成方法は、つま先部を編成することをさらに含み、まず、Ｅ点を開始点として、踵部１３から離れる方向に向かって第３引き返し編み領域Ｄ３を編成し始め、メインまち縫いＥＦの線分を形成し、その後、Ｆを開始点として、第２拾い目編みおよび引き返し編み領域Ａ２を編成し始め、第２拾い目編みおよび引き返し編み領域Ａ２の編成段階はＦから始まり、メインまち縫いＥＦの反対方向に沿ってメインまち縫いＥＦの線分の側辺において第４拾い目編み領域Ｉ４を編成し、Ｈ点まで編成した後、Ｈ点を開始点として、靴下底部に近接する方向に向かって第４引き返し編み領域Ｄ４をＪ点まで編成し、第１のサブまち縫いＨＪを形成し、その後、Ｊ点を開始点として第４拾い目編み領域Ｉ４を点Ｋまで編成し続け、同様に、最後のサブまち縫いＲＳを形成するまで続け、その後、Ｓを開始点として、第３拾い目編み領域Ｉ３をＥ’点まで編成し、Ｅ’点とＥ点とは位置合わせられており、編成により形成された第３拾い目編み領域Ｉ３は第３引き返し編み領域Ｄ３に連結されている。
【００３２】
好ましくは、つま先部を編成する編み段階は、第２追加拾い目編み領域Ｂ２を編成することをさらに含み、第３引き返し編み領域Ｄ３を編成する前に、第３引き返し編み領域Ｄ３の踵部１３に近接する一側において、Ｖ点を開始点として第２追加拾い目編み領域Ｂ２を終点Ｅ点まで編成し、まち縫いＶＥの線分を形成する。
【００３３】
本発明は、互いに連結されている第１引き返し編み領域と第１拾い目編み領域との間に複数の第１拾い目編みおよび引き返し編み領域が設置されており、各第１拾い目編みおよび引き返し編み領域がいずれも第１引き返し編み領域に連結されているため、靴下底部の引き出し回数を増やすことができる。靴下底部の引張寸法を増加させても靴下甲部の寸法に影響することなく、成形後に突起が発生せず、靴下の被覆性および快適性を効果的に向上させることができ、カバーソックス、深履きカバーソックス、ビジネスソックス、スポーツソックス等のさまざまな靴下に適用することができる。
【００３４】
以上は本発明の好ましい実施形態に過ぎず、これらは本発明の保護範囲を限定するものではない。本発明の明細書および図面の内容により行われた均等の構造変換を利用し、その他の関連技術分野に直接または間接的に適用することは、同様に全て本発明の保護範囲に含まれる。
【符号の説明】
【００３５】
Ｄ１  第１引き返し編み領域、
Ｉ１  第１拾い目編み領域、
Ａ１  第１拾い目編みおよび引き返し編み領域、
Ｂ１  第１追加拾い目編み領域、
Ｃ１  追加引き返し編み領域、
Ｄ２  第２引き返し編み領域、
Ｉ２  第２拾い目編み領域、
Ｄ３  第３引き返し編み領域、
Ｉ３  第３拾い目編み領域、
Ａ２  第２拾い目編みおよび引き返し編み領域、
Ｂ２  第１追加拾い目編み領域、
Ｄ４  第４引き返し編み領域、
Ｉ４  第４拾い目編み領域。
【図１】
2019131938.tif 000003
【図２−１】
2019131938.tif 000004
【図２−２】
2019131938.tif 000005
【図３−１】
2019131938.tif 000006
【図３−２】
2019131938.tif 000007
【図４−１】
2019131938.tif 000008
【図４−２】
2019131938.tif 000009
【図５−１】
2019131938.tif 000010
【図５−２】
2019131938.tif 000011
【図６−１】
2019131938.tif 000012
【図６−２】
2019131938.tif 000013
【図７−１】
2019131938.tif 000014
【図７−２】
2019131938.tif 000015
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
丸編みまたは横編みプロセスを利用する快適な脱落防止靴下であって、
つま先部、ボディ部および踵部を有し、
前記つま先部および踵部はいずれもボディ部に連結されており、
前記踵部は、靴下底部に近接する方向かつ前記つま先部から離れる方向に向かって編成された第１引き返し編み領域、前記第１引き返し編み領域が編成し終わった端部を開始点とし、前記第１引き返し編み領域に連結されながら前記第１引き返し編み領域の編成方向と反対する方向に沿って順次に編成された八つの第１拾い目編みおよび引き返し編み領域、および前記八つの第１拾い目編みおよび引き返し編み領域における最後の第１拾い目編みおよび引き返し編み領域が編成し終わった端部を開始点とし、前記第１引き返し編み領域の編成開始点まで前記第１引き返し編み領域に連結されながら前記第１引き返し編み領域のつま先部に近接する一側に編成された第１拾い目編み領域を有し、
各前記第１拾い目編みおよび引き返し編み領域は、いずれも前記第１引き返し編み領域のつま先部に近接する一側に編成された第２拾い目編み領域および前記第２拾い目編み領域の側辺に設けられかつ靴下底部に近接する方向に向かって編成された第２引き返し編み領域を有し、
各前記第１拾い目編みおよび引き返し編み領域における編み目の数は前記第１引き返し編み領域における編み目の数より少なく、前記八つの第１拾い目編みおよび引き返し編み領域が編成されることにより前記踵部の部分が「弧形踵」の構造に形成されている、
ことを特徴とする快適な脱落防止靴下。
【請求項２】
前記踵部は、前記第１引き返し編み領域のつま先部から離れる一側に設けられている第１追加拾い目編み領域をさらに有し、前記第１追加拾い目編み領域は前記第１引き返し編み領域に連結されている、ことを特徴とする請求項１に記載の快適な脱落防止靴下。
【請求項３】
前記踵部は、前記第１拾い目編み領域のつま先部に近接する一側に設けられている追加引き返し編み領域をさらに有し、前記追加引き返し編み領域は前記第１拾い目編み領域に連結されている、ことを特徴とする請求項１または２に記載の快適な脱落防止靴下。
【請求項４】
前記つま先部は、前記踵部から離れる方向に向かって編成された第３引き返し編み領域、前記第３引き返し編み領域が編成し終わった端部を開始点とし、第３引き返し編み領域に連結されながら第３引き返し編み領域の編成方向と反対する方向に沿って順次に編成された複数の第２拾い目編みおよび引き返し編み領域、および前記複数の第２拾い目編みおよび引き返し編み領域における最後の第２拾い目編みおよび引き返し編み領域が編成し終わった端部を開始点とし、前記第３引き返し編み領域の編成開始点まで前記第３引き返し編み領域に連結されながら前記第３引き返し編み領域の踵部に近接する一側に編成された第３拾い目編み領域を有し、
各前記第２拾い目編みおよび引き返し編み領域は、いずれも前記第３引き返し編み領域の靴下底部に近接する一側に編成された第４拾い目編み領域および前記第４拾い目編み領域の側辺に設けられかつ靴下底部に近接する方向に向かって編成された第４引き返し編み領域を有する、ことを特徴とする請求項１に記載の快適な脱落防止靴下。
【請求項５】
前記つま先部は、前記第３引き返し編み領域の踵部に近接する一側に設けられている第２追加拾い目編み領域をさらに有し、前記第２追加拾い目編み領域は前記第３引き返し編み領域に連結されている、ことを特徴とする請求項４に記載の快適な脱落防止靴下。
【請求項６】
丸編みまたは横編みプロセスを採用する請求項１〜５のいずれか一項に記載の靴下の編成方法であって、
踵部を編成する編み段階を含み、
該段階は、
靴下底部に近接する方向かつつま先部から離れる方向に向かって第１引き返し編み領域を編成するステップＳ１１と、
前記第１引き返し編み領域が編成し終わった端部を開始点とし、前記第１引き返し編み領域に連結されながら前記第１引き返し編み領域の編成方向と反対する方向に沿って順次に八つの第１拾い目編みおよび引き返し編み領域を編成するステップＳ１２と、
前記八つの第１拾い目編みおよび引き返し編み領域における最後の第１拾い目編みおよび引き返し編み領域が編成し終わった端部を開始点とし、前記第１引き返し編み領域の編成開始点まで前記第１引き返し編み領域に連結されながら前記第１引き返し編み領域のつま先部に近接する一側に第１拾い目編み領域を編成するステップＳ１３と
を含み、
前記ステップＳ１２において、
（ａ）第１引き返し編み領域のつま先部に近接する一側において第２拾い目編み領域を編成し、かつ前記第１引き返し編み領域と連結させ、その後、前記第２拾い目編み領域の側辺において、靴下底部に近接する方向に向かって第２引き返し編み領域を編成し、
（ｂ）八つの第１拾い目編みおよび引き返し編み領域を順次編成し、各第１拾い目編みおよび引き返し編み領域における編み目の数は前記第１引き返し編み領域における編み目の数より少なくし、前記踵部の部分を「弧形踵」の構造に形成する、
ことを特徴とする靴下の編成方法。
【請求項７】
第１引き返し編み領域を編成する前に、前記第１引き返し編み領域のつま先部から離れる一側において第１追加拾い目編み領域を編成することをさらに含み、前記第１追加拾い目編み領域は前記第１引き返し編み領域に連結されている、ことを特徴とする請求項６に記載の靴下の編成方法。
【請求項８】
第１拾い目編み領域を編成した後、前記第１拾い目編み領域のつま先部に近接する一側において追加引き返し編み領域を編成することをさらに含み、前記追加引き返し編み領域は前記第１拾い目編み領域に連結されている、ことを特徴とする請求項６または７に記載の靴下の編成方法。
【請求項９】
つま先部を編成する編み段階をさらに含み、
該段階は、
前記踵部から離れる方向に向かって第３引き返し編み領域を編成するステップＳ１４と、
前記第３引き返し編み領域が編成し終わった端部を開始点とし、第３引き返し編み領域に連結させながら第３引き返し編み領域の編成方向と反対する方向に沿って順次に複数の第２拾い目編みおよび引き返し編み領域を編成するステップＳ１５と、
前記複数の第２拾い目編みおよび引き返し編み領域が編成し終わった端部を開始点とし、前記第３引き返し編み領域の編成開始点まで前記第３引き返し編み領域に連結させながら前記第３引き返し編み領域の踵部に近接する一側に第３拾い目編み領域を編成するステップＳ１６と、
を含み、
前記ステップＳ１５において、
（ｃ）第３引き返し編み領域の靴下底部に近接する一側において第４拾い目編み領域を編成し、かつ前記第３引き返し編み領域と連結させ、その後、前記第４拾い目編み領域の側辺において、靴下底部に近接する方向に向かって第４引き返し編み領域を編成し、
（ｄ）複数の第２拾い目編みおよび引き返し編み領域を順次編成する、
ことを特徴とする請求項６に記載の靴下の編成方法。
【請求項１０】
第３引き返し編み領域を編成する前に、前記第３引き返し編み領域の踵部に近接する一側において第２追加拾い目編み領域を編成することをさらに含み、前記第２追加拾い目編み領域は前記第３引き返し編み領域に連結されている、ことを特徴とする請求項９に記載の靴下の編成方法。
【手続補正２】
【補正対象書類名】明細書
【補正対象項目名】００１１
【補正方法】変更
【補正の内容】
【００１１】
本発明は、さらに、丸編みまたは横編みプロセスを利用し、踵部を編成する編み段階を含む、靴下の編成方法を提供する。該段階は、
靴下底部に近接する方向かつつま先部から離れる方向に向かって第１引き返し編み領域を編成するステップＳ１１と、
前記第１引き返し編み領域が編成し終わった端部を開始点とし、前記第１引き返し編み領域に連結されながら前記第１引き返し編み領域の編成方向と反対する方向に沿って順次に八つの第１拾い目編みおよび引き返し編み領域を編成するステップＳ１２と、
前記八つの第１拾い目編みおよび引き返し編み領域における最後の第１拾い目編みおよび引き返し編み領域が編成し終わった端部を開始点とし、前記第１引き返し編み領域の編成開始点まで前記第１引き返し編み領域に連結されながら前記第１引き返し編み領域のつま先部に近接する一側に第１拾い目編み領域を編成するステップＳ１３と、
を含み、
前記ステップＳ１２において、
（ａ）第１引き返し編み領域のつま先部に近接する一側において、第２拾い目編み領域を編成し、かつ前記第１引き返し編み領域に連結させ、その後、前記第２拾い目編み領域の側辺において、靴下底部に近接する方向に向かって第２引き返し編み領域を編成し、
（ｂ）八つの第１拾い目編みおよび引き返し編み領域を順次編成し、各第１拾い目編みおよび引き返し編み領域における編み目の数は前記第１引き返し編み領域における編み目の数より少なくし、前記踵部の部分を「弧形踵」の構造に形成する。
【手続補正３】
【補正対象書類名】明細書
【補正対象項目名】００１４
【補正方法】変更
【補正の内容】
【００１４】
本発明のさらなる改良として、該編成方法は、つま先部を編成する編み段階をさらに含み、該段階は、
前記踵部から離れる方向に向かって第３引き返し編み領域を編成するステップＳ１４と、
前記第３引き返し編み領域が編成し終わった端部を開始点とし、第３引き返し編み領域に連結させながら第３引き返し編み領域の編成方向と反対する方向に沿って順次に複数の第２拾い目編みおよび引き返し編み領域を編成するステップＳ１５と、
前記複数の第２拾い目編みおよび引き返し編み領域が編成し終わった端部を開始点とし、前記第３引き返し編み領域の編成開始点まで前記第３引き返し編み領域に連結させながら前記第３引き返し編み領域の踵部に近接する一側に第３拾い目編み領域を編成するステップＳ１６と、
含み、
前記ステップＳ１５において、
（ｃ）第３引き返し編み領域の靴下底部に近接する一側において第４拾い目編み領域を編成し、かつ前記第３引き返し編み領域に連結させ、その後、前記第４拾い目編み領域の側辺において、靴下底部に近接する方向に向かって第４引き返し編み領域を編成し、
（ｄ）複数の第２拾い目編みおよび引き返し編み領域を順次編成する。